(57)【要約】【課題】  テレビ機能付き携帯電話機等の画像記録装置での録画時に、録画対象番組の録画量に応じて録画対象記録メディア（記録媒体）を自動選択する機能を備えた画像記録装置およびプログラムの提供【解決手段】  録画する放送番組の録画終了時刻と録画開始時刻から録画時間を算出し（Ｔ１）、電池残量と各記録メディア毎の最大録画可能時間を取得する（Ｔ２、Ｔ３）。記録メディアＡの最大録画可能時間＞録画時間の場合は（Ｔ４）、画質情報を基にした必要記録容量と各記録メディアの残容量を取得し（Ｔ７、Ｔ８）、記録メディアＢの残容量＞必要記録容量の場合は記録メディアＢを選択し、記録メディアＡの残容量＞必要記録容量の場合は記録メディアＡを選択する（Ｔ９〜Ｔ１２）。また、記録メディアＡの最大録画可能時間≦録画時間の場合は、記録メディアＢ＞録画時間なら記録メディアＢを選択し、そうでなければアラームを出力する（Ｔ５、Ｔ６）。【選択図】  図７
2007060364.tif 000002
【特許請求の範囲】
【請求項１】
テレビ放送電波から受信した映像データを録画可能な画像記録装置であって、
記憶容量および消費電力の異なる複数の記録媒体と、
録画対象番組を指定する対象番組指定手段と、
前記対象番組指定手段によって指定された録画対象番組の録画量情報を取得する録画量情報取得手段と、
前記録画量情報取得手段によって取得された録画量情報に基づいて前記録画対象番組の映像データを録画する記録媒体を前記複数の記録媒体のうちから選択する記録媒体選択手段と、
前記記録媒体選択手段によって選択された記録媒体に前記録画対象番組の映像データを録画する録画手段と、
を備えたことを特徴とする画像記録装置。
【請求項２】
前記録画量情報は前記録画対象番組の実録画時間であり、前記録画量情報取得手段は、当該録画対象番組の録画開始時刻と録画終了時刻から実録画時間を取得することを特徴とする請求項１に記載の画像記録装置。
【請求項３】
更に、電池残量を検出する電池残量検出手段を備え、
前記記録媒体選択手段は、この電池残量検出手段によって検出された電池残量と前記実録画時間情報に基づいて前記録画対象番組の映像データを録画する記録媒体を前記複数の記録媒体のうちから選択することを特徴とする請求項２に記載の画像記録装置。
【請求項４】
前記記録媒体選択手段は、前記電池残量検出手段によって検出された電池残量を基に前記複数の記録媒体のそれぞれについて録画可能な最大録画可能時間を算出する手段と、前記複数の記録媒体のそれぞれについて算出された最大録画可能時間と前記実録画時間とを比較する手段と、この比較結果に基づいて記録媒体を選択する手段と、を含むことを特徴とする請求項３に記載の画像記録装置。
【請求項５】
前記録画量情報は必要記憶量情報であり、前記録画量情報取得手段は、前記録画対象番組の実録画時間と任意に指定された録画品質情報に基づいて必要記憶量情報を取得することを特徴とする請求項１に記載の画像記録装置。
【請求項６】
前記複数の記録媒体の記録残量をそれぞれ取得する記憶残量取得手段を備え、
前記記録媒体選択手段は、前記記憶残量取得手段によって取得された記憶残量と前記必要記憶量情報とを比較する手段と、この比較結果に基づいて記録媒体を選択する手段と、を含むことを特徴とする請求項５に記載の画像記録装置。
【請求項７】
前記録画量情報は前記録画対象番組の録画時間長短情報であり、前記録画量情報取得手段は、前記録画対象番組のジャンル情報に基づいて録画時間長短情報を取得することを特徴とする請求項１に記載の画像記録装置。
【請求項８】
前記録画対象番組は録画予約された番組であり、前記記録媒体選択手段はその録画予約直後に該記録画対象番組の映像データを録画する記録媒体の選択を開始することを特徴とする請求項１に記載の画像記録装置。
【請求項９】
前記録画対象番組は録画予約された番組であり、前記記録媒体選択手段はその録画開始指定時刻直前に該記録画対象番組の映像データを録画する記録媒体の選択を開始することを特徴とする請求項１に記載の画像記録装置。
【請求項１０】
テレビ放送電波から受信した映像データを前記記録媒体のいずれかに録画可能な画像記録装置のコンピュータに、
録画対象番組を指定する機能と、指定された録画対象番組の録画量情報を取得する機能と、前記取得された録画量情報に基づいて前記録画対象番組の映像データを録画する記録媒体を記憶容量および消費電力の異なる複数の記録媒体のうちから選択する記録媒体選択機能と、前記選択された記録媒体に前記録画対象番組の映像データを録画する機能と、を実行させるプログラム。
【発明の詳細な説明】
【技術分野】
【０００１】
本発明は、テレビ機能付き携帯電話機等の画像記録装置での録画前に、録画時間等の所定の条件に応じて録画先の記録メディア（記録媒体）を自動選択する機能を備えた画像記録装置およびプログラムに関する。
【背景技術】
【０００２】
複数の記録メディアを有する画像記録装置において、画像データの記録先を自動選択するようにした技術がある（たとえば、下記特許文献１〜４参照）。
【０００３】
特許文献１には画像サイズや画像種別（動画／静止画）に応じて記録メディアを選択する画像記録装置が開示されており、特許文献２には記録メディアのメモリ残量に応じて画像記録先を自動変更可能なデジタルカメラが開示されている。また、特許文献３には電池残量に応じて画像記録先を自動変更可能なデジタル撮像機器が開示されており、特許文献４には充電可能状態に応じて画像記録先を自動変更可能なデータ蓄積装置が開示されている。
【０００４】
【特許文献１】特開２００１−２４５２４８号公報
【特許文献２】特開２００３−３４８３９２号公報
【特許文献３】特開２００３−２７４２４６号公報
【特許文献４】特開２００５−１８２３０４号公報
【発明の開示】
【発明が解決しようとする課題】
【０００５】
しかしながら、上記各特許文献に開示の技術は、記録メディアの画像サイズや画像種別、記録残量、電池残量に基づいてそれぞれ画像の記録先を変更するものであるが、放送番組のように各番組の放送時間の長さがまちまちなものを録画することを想定していないといった課題があった。
【０００６】
例えば、上記特許文献１に開示の技術では、動画像か静止画像かでその記録メディアを一義的に決定するが、放送番組の放送時間（以下、番組時間）の長さは、天気予報のように番組時間が極端に短いものや映画のように番組時間が１時間以上にわたるもの等、まちまちであるため、対応ができないといった課題があった。
【０００７】
また、放送番組の録画では、録画を内蔵ハードディスク（ＨＤＤ）に行うか、着脱式のメモリカード（フラッシュメモリ、ＳＤカード等）に行うかの選択肢があるが、ＨＤＤは大容量の記録が可能であるが電力消費量が大きいので画像記録装置のような電池を電源とする装置では映画番組のような番組時間が長い放送番組の録画を行うには録画時間が短すぎるといった不都合があり、メモリカードでは電力消費量は低いが記憶容量が少ないので映画番組のような番組時間が長い放送番組の録画を行うには記憶容量に難がある。テレビ放送番組をテレビ機能付き携帯電話等の画像記録装置で記録するに際して、ＨＤＤやメモリカードをいかに使い分けるかは、現在ではユーザが記録メディアを任意選択しているので、指定した放送番組の録画開始後にあって、記録メディアの選択ミスによりその放送番組を全て録画しきれないといった問題が生じうるといった課題があった。
【０００８】
ここで、上記特許文献２に開示の技術では、記録メディアのメモリ残量に応じて画像記録先を自動変更できるので、映画番組のような番組時間が長い放送番組の録画を行う場合にはＨＤＤのメモリ残量に余裕がある場合はＨＤＤが録画先記録メディアとして選択されることとなるが、放送番組の必要録画容量および電池残量をも勘案して録画先記録メディアを選択しているわけではないので、ＨＤＤのような消費電力の大きな記録メディアを用いると電池を消耗し尽くしてその放送番組（映画）を全て録画しきれないといった不都合が生じ得る。
【０００９】
また、上記特許文献３に開示の技術では、電池残量に応じて画像記録先を自動変更できるので、電池残量が少ない場合はメモリカードが録画先記録メディアとして選択されることなるが、映画番組のような番組時間が長い放送番組の録画を行う場合にはメモリカードではメモリ残量が不足してその放送番組（映画）を全て録画しきれないといった不都合が生じ得る。
【００１０】
上記特許文献４に開示の技術では、充電可能状態に応じて画像記録先を自動変更できるので電池が充電可能の場合はＨＤＤが録画先記録メディアとして選択されるが、充電不可能な場合はメモリカードが録画先記録メディアとして選択されるので、電池が充電不可能の場合には映画番組のような番組時間が長い放送番組の録画を行うことができないといった不都合が生じえる。
【００１１】
本発明は、上記課題を解決するためになされたものであり、テレビ機能付き携帯電話機等の画像記録装置での録画前に、録画対象番組の録画量に応じて録画対象記録メディア（記録媒体）を自動選択する機能を備えた画像記録装置およびプログラムの提供を目的とする。
【課題を解決するための手段】
【００１２】
上記課題を解決するために、請求項１に記載の発明では、テレビ放送電波から受信した映像データを録画可能な画像記録装置であって、記憶容量および消費電力の異なる複数の記録媒体と、録画対象番組を指定する対象番組指定手段と、対象番組指定手段によって指定された録画対象番組の録画量情報を取得する録画量情報取得手段と、録画量情報取得手段によって取得された録画量情報に基づいて録画対象番組の映像データを録画する記録媒体を複数の記録媒体のうちから選択する記録媒体選択手段と、記録媒体選択手段によって選択された記録媒体に録画対象番組の映像データを録画する録画手段と、
を備えたことを特徴とする画像記録装置を提供する。  
これにより、録画対象番組を指定するとその番組の録画開始前に取得する録画対象番組の録画量に基づいて最適な記録媒体を自動的に選択できるので、録画開始後に記録媒体の選択ミスにより、録画対象番組の録画が中途半端に終わるようなことが生じない。
【００１３】
また、請求項２に記載の発明では、録画量情報は録画対象番組の実録画時間であり、録画量情報取得手段は、当該録画対象番組の録画開始時刻と録画終了時刻から実録画時間を取得することを特徴とする請求項１に記載の画像記録装置を提供する。  
これにより、録画予約時に設定される録画対象番組の録画開始時刻と録画終了時刻から録画量情報を簡単に取得できる。
【００１４】
また、請求項３に記載の発明では、更に、電池残量を検出する電池残量検出手段を備え、記録媒体選択手段は、この電池残量検出手段によって検出された電池残量と実録画時間情報に基づいて録画対象番組の映像データを録画する記録媒体を複数の記録媒体のうちから選択することを特徴とする請求項２に記載の画像記録装置を提供する。  
これにより、電池残量と実録画時間情報から録画対象番組に最適な記録媒体を選択するので、映画番組のような番組時間が長い放送番組の録画を行う場合にも電池を消耗し尽くしてその放送番組（映画）を全て録画しきれないといった不都合が生じない。
【００１５】
また、請求項４に記載の発明では、記録媒体選択手段は、電池残量検出手段によって検出された電池残量を基に複数の記録媒体のそれぞれについて録画可能な最大録画可能時間を算出する手段と、複数の記録媒体のそれぞれについて算出された最大録画可能時間と実録画時間とを比較する手段と、この比較結果に基づいて記録媒体を選択する手段と、を含むことを特徴とする請求項３に記載の画像記録装置を提供する。  
これにより、電池残量を基にして各記録媒体の単位時間当たりの電力消費量から得た各記憶媒体の最大録画可能時間と実録画時間情報の比較結果により録画対象番組に最適な記録媒体を選択するので、映画番組のような番組時間が長い放送番組の録画を行う場合にも電池を消耗し尽くしてその放送番組（映画）を全て録画しきれないといった不都合が生じない。
【００１６】
また、請求項５に記載の発明では、録画量情報は必要記憶量情報であり、録画量情報取得手段は、録画対象番組の実録画時間と任意に指定された録画品質情報に基づいて必要記憶量情報を取得することを特徴とする請求項１に記載の画像記録装置を提供する。  
これにより、録画対象番組の録画画質を任意に指定して指定された画質を元にその録画に最適な記録媒体を自動的に選択することができる。
【００１７】
また、請求項６に記載の発明では、複数の記録媒体の記録残量をそれぞれ取得する記憶残量取得手段を備え、記録媒体選択手段は、記憶残量取得手段によって取得された記憶残量と必要記憶量情報とを比較する手段と、この比較結果に基づいて記録媒体を選択する手段と、を含むことを特徴とする請求項５に記載の画像記録装置を提供する。  
これにより、記録媒体の記憶残量と必要記憶量情報の比較結果により録画対象番組に最適な記録媒体を選択するので、映画番組のような番組時間が長い放送番組の録画を行う場合にも記録媒体の記憶残量が不足してその放送番組（映画）を全て録画しきれないといった不都合が生じない。
【００１８】
また、請求項７に記載の発明では、録画量情報は録画対象番組の録画時間長短情報であり、録画量情報取得手段は、録画対象番組のジャンル情報に基づいて録画時間長短情報を取得することを特徴とする請求項１に記載の画像記録装置を提供する。  
これにより、録画対象番組のジャンルを元にその番組の録画に最適な記録媒体を自動的に選択するようにすることができる。  
【００１９】
また、請求項８に記載の発明では、録画対象番組は録画予約された番組であり、記録媒体選択手段はその録画予約直後に該記録画対象番組の映像データを録画する記録媒体の選択を開始することを特徴とする請求項１に記載の画像記録装置を提供する。  
これにより、記録媒体の選択ができないような場合に、ユーザは他の放送番組の予約を行ったり、電池を交換したり、場合によっては記録媒体を交換したりできるので電池切れやメモリ残量不足による中途半端な録画を防止することができる。
【００２０】
また、請求項９に記載の発明では、録画対象番組は録画予約された番組であり、記録媒体選択手段はその録画開始指定時刻直前に該記録画対象番組の映像データを録画する記録媒体の選択を開始することを特徴とする請求項１に記載の画像記録装置を提供する。  
これにより、録画予約を行った後、予約時刻が到来する直前に録画先記録メディアの自動選択動作を行なうことができるので、録画時刻の到来まで長い時間があるような場合にその間に行われた他の処理により電池を消費してしまったような場合でも、電池を交換したり、場合によっては記録媒体を交換したりできることから、録画時刻が到来して自動選択した記録メディアに録画を行った結果電池切れにより途中までしか録画が行えないといった不都合が生じない。
【００２１】
また、請求項１０に記載の発明では、テレビ放送電波から受信した映像データを記録媒体のいずれかに録画可能な画像記録装置のコンピュータに、録画対象番組を指定する機能と、指定された録画対象番組の録画量情報を取得する機能と、取得された録画量情報に基づいて録画対象番組の映像データを録画する記録媒体を記憶容量および消費電力の異なる複数の記録媒体のうちから選択する記録媒体選択機能と、選択された記録媒体に録画対象番組の映像データを録画する機能と、を実行させるプログラムを提供する。  
これにより、録画対象番組を指定すればその番組の録画開始前に取得する録画対象番組の録画量に基づいて最適な記録媒体を自動的に選択できることから、録画開始後に記録媒体の選択ミスにより、録画対象番組の録画が中途半端に終わるようなことが生じない。
【発明の効果】
【００２２】
本発明によれば、録画対象番組の指定により、その番組の録画開始前に録画量に基づいて最適な記録媒体を自動的の選択するようにしたので、録画開始後に記録媒体の選択ミスにより、録画対象番組の録画が中途半端に終わるようなことが生じない。
【発明を実施するための最良の形態】
【００２３】
図１は、本発明の実施の形態をテレビ機能付き携帯電話機に適用した場合の一実施例を示す図であり、携帯電話機（開状態）の外観を示す正面図である。  
図１において、携帯電話機１は大きくわけて、蓋部２と本体部３から構成されている。蓋部２は本体部３側に折り込み可能に構成されている。アンテナ４は蓋部２の背面に設けられており、伸縮自在となっている。
スピーカ５は、蓋部２の前面側に設けられており、音声出力を行う。表示部（メイン表示部）６はカラー液晶表示画面からなる表示部であり、開状態でＴＶ（テレビ）受信モードへの移行を検出すると、ＴＶ（テレビ）映像を表示する。キー操作部７は本体部３の前面に設けられており、通話ボタン２１、電源ボタン２２、録画ボタン２３、録画再生ボタン２４、ＴＶ受信ボタン２５等の各種機能キーや、図示しないテンキーやカーソルキー等からなる。マイク８は本体部３の下部に設けられており、音声入力を行う。
【００２４】
また、図示しないバッテリーパックが本体部３の裏面に着脱可能に設けられており、ロック機構（図示せず）により固定されている。ロック機構は、電池を収容したバッテリーパックを本体部３に固定するためのものである。また、着信などを報知する報知スピーカ（図示せず）が蓋部２を本体部３に閉じた状態でも報知音が聞こえるように、本体部３の裏面に配置されている。
【００２５】
図２は本実施形態に係わるテレビ機能付き携帯電話機１の内部構成を示すブロック図である。  
スピーカ５は、録画再生モード時およびＴＶ受信モード時には放送番組の音声出力部として機能するものであり、録画再生モード時には録画／再生部１４で再生された放送番組の音声信号を音声に変換して外部に出力し、ＴＶ受信モード時にはテレビ受信部１３で受信した放送番組の音声信号を音声に変換して外部に出力する。また、録画再生モードおよびＴＶ受信モードにおけるキー操作時にはＣＰＵ１１の制御下でガイド音声を出力することもできる。
【００２６】
表示部６は、録画再生モード時およびＴＶ受信モード時には放送番組の映像表示部として機能するものであり、録画再生モード時には録画／再生部１４で再生された放送番組の映像を液晶表示画面に表示し、ＴＶ受信モード時にはテレビ受信部１３で受信した放送番組の映像をリアルタイムに液晶表示画面に表示する。また、録画再生モードおよびＴＶ受信モードにおけるキー操作時にはＣＰＵ１１の制御下でガイドメッセージ等を表示することもできる。
【００２７】
キー操作部７は前述したように通話ボタン２１、電源ボタン２２、録画ボタン２３、録画再生ボタン２４、ＴＶ受信ボタン２５等の各種機能キーや、図示しないテンキーやカーソルキー等を備え、キーが操作されるとそのキーに対応する信号が生成されてＣＰＵ１１に送られる。
【００２８】
キー操作部７において、録画ボタン２３は録画しようとする放送番組の予約を行う場合に操作するキーであり、ユーザは録画ボタン２３を押してから画面６に表示されるガイドメッセージ（またはスピーカ５から出力されるに従ってガイド音声）に従ってテレビチャンネルおよび予約時刻をテンキーから入力すれば、所望の放送番組の録画予約を行うことができる。また、ＴＶ受信ボタン２５を押して選局してから録画ボタン２３を押すとリアルタイムに受信される放送番組を録画することができる。
【００２９】
録画再生ボタン２４は録画した放送番組の再生を行う際に操作するキーであり、ユーザが録画再生ボタン２４を押してから液晶表示画面６に表示されるガイドメッセージ（またはスピーカ５から出力されるガイド音声）に従って録画されている放送番組を選択すれば、その録画番組が再生される。ＴＶ受信ボタン２５はリアルタイムにテレビ放送番組を受信しようとする場合に操作するキーであり、ユーザがＴＶ受信ボタン２５を押してから液晶表示画面６に表示されるガイドメッセージ（またはスピーカ５から出力されるに従ってガイド音声）に従ってチャンネルを選択すれば、そのチャンネル局からの放送番組を受信できる。
【００３０】
マイク８は、通話モード時に入力される音声を音声信号に変換し、変換された音声信号は電話機通信部１２に送出される。
【００３１】
記憶部９は、ＨＤＤやメモリカード等の記録メディアへのデータの書き込みや読み出しを行う機能を有する機構であり、テレビ機能付き携帯電話機１に使用可能な記録メディアの種類（記録メディアＡおよび記録メディアＢ（実施例ではＨＤＤおよび着脱可能なメモリカード））に応じてそれぞれ設けられている。
【００３２】
記録メディア１０−１（以下、記録メディアＡ）は記憶部９に格納され、且つアクセス可能な大容量記録媒体であり、実施例では記憶容量２０Ｇ（ギガ）、消費電流２８０ｍＡのＨＤＤが用いられている。また、記録メディア１０−２（以下、記録メディアＢ）は記憶部９に格納され、且つアクセス可能な大容量記録媒体であり、実施例では記憶容量２Ｇ（ギガ）、消費電流１００ｍＡのフラッシュメモリが用いられているがこれらに限定されない。
【００３３】
ＣＰＵ（若しくはＭＰＵ（以下、ＣＰＵ））１１は、このレビ付き携帯電話機１全体の制御動作を司るものであり、プログラム格納メモリ１５に格納された所定の動作プログラムを実行することにより、録画予約時刻の到来により自動受信したテレビ放送番組のデータ（動画像データおよび音声データ（以下、映像データ））や受信中のテレビ放送番組の映像データについてプログラムに基づく録画対象記録メディアの自動選択制御のほか、蓋部２、本体部３の各種動作及びテレビ機能付き携帯電話機１全体の動作を制御する。
【００３４】
電話機通信部１２はテレビ携帯電話機１の通話に関する機能のうち音声信号の授受を司るものであり、無線によりアンテナ４を介して音声データを送受し変調／復調するなどの無線通信に必要な処理を行う。
【００３５】
テレビ受信部１３はテレビ携帯電話機１の放送番組受信機能を司るものであり、テレビ放送局の選局や放送番組電波の受信および受信した放送番組の音声信号および画像信号の復調等テレビ放送受信に必要な処理を行う。
【００３６】
録画／再生部１４は、録画モードでは録画予約時刻の到来により自動受信したテレビ放送番組の映像データや受信中のテレビ放送番組の映像データの圧縮処理等を行い、再生モード時には記録メディアに記録されている圧縮映像データを読み出して圧縮処理とは逆の手順で伸張処理する。
【００３７】
プログラム格納メモリ１５はＲＯＭ等の不揮発性メモリからなり、ＣＰＵ１１を制御する各種プログラムなどを記憶する。一時記憶メモリ１６はＲＡＭ等の揮発性メモリからなり無線通信端末およびテレビ受信端末としてのテレビ機能付き携帯電話機１に必要な各種データやＣＰＵ１１が動作する上で必要なデータを記憶すると共に、撮像された画像データや受信した映像データ等の一時記憶も行うことができる。
【００３８】
計時部１７はタイマー等を備え、ＣＰＵ１１に時刻信号を送出する。また、電池残量検出部１８はテレビ機能付き携帯電話機１に装着されている電池の残容量を検出し、残量情報を送出する。電池の残容量の検出方法および電池残量検出部１８の構成は公知の検出方法および回路を用いることができる。
【００３９】
図３はテレビ機能付き携帯電話機１の動作概要を示すフローチャートであり、このフローチャートはテレビ機能付き携帯電話機１のコンピュータに本発明の録画対象記録メディアの自動選択制御機能を含む動作を実現させるためのプログラムを説明するためのものである。  
以下に示す処理は基本的にＣＰＵ１１が予めプログラム格納メモリ１５に記憶されたプログラムに従って実行する例で説明するが、全ての機能をプログラム格納メモリ１５に格納する必要はなく、必要に応じて、その一部若しくは全部をネットワークを介して受信して実現するようにしてもよい。以下、図１〜図３に基いて説明する。
【００４０】
ユーザが電源ボタン２２を操作してテレビ機能付き携帯電話機１の主電源をオンとすると、ＣＰＵ１１は制御プログラムのローディングや初期値の設定等を行う（ステップＳ０）。
【００４１】
次に、ＣＰＵ１１は電話通話部１２からの信号を調べ、電話信号（呼び出し信号）を受信した場合はステップＳ３に進み（ステップＳ２）、電話信号を受信しない場合はキー操作部７からの信号を調べ、通話ボタン２１が押された場合はステップＳ３に進み、録画ボタン２３が押された場合はステップＳ５に進み、録画再生ボタン２４が押された場合はステップＳ１３に進み、ＴＶ受信ボタン２５が押された場合はステップＳ１７に進む（ステップＳ２）。
【００４２】
上記ステップＳ１で電話信号を受信した場合または上記ステップＳ２で通話ボタン２１が押された場合は、ＣＰＵ１１はよく知られている携帯電話機での通話処理を行い（ステップＳ３）、通話が終わるとステップＳ１に戻る（ステップＳ４）。
【００４３】
上記ステップＳ２で録画ボタン２３が押された場合は、ＣＰＵ１１は図４若しくは図５に示すような予約情報入力欄等を表示してユーザに録画対象番組の予約情報の入力（チャンネル、放送時間、放送終了時刻、画質若しくはジャンル等の選択入力）を促し、予約情報の選択入力があると録画予約処理（予約チャンネル設定、録画開始時刻、録画終了時刻、画質若しくはジャンル等の設定）を行う（ステップＳ５）。  
【００４４】
次に、ＣＰＵ１１は、図７のフローチャートに示すような動作で、録画対象番組の録画量に応じて録画先の記録メディア（録画対象記録メディア）の自動選択処理を実行し（ステップＳ６）、ステップＳ６で録画対象記録メディアの選択ができた場合はステップＳ８に進み、録画対象記録メディアの選択ができなかった場合はステップＳ１に戻る（ステップＳ７）。
【００４５】
ＣＰＵ１１は、計時部１７からの時刻情報と上記ステップＳ５で設定された予約時刻とを比較して予約時刻が到来するとステップＳ９に進み、そうでない場合はステップＳ１に戻る（ステップＳ８）。
【００４６】
予約時刻が到来すると、ＣＰＵ１１はテレビ受信部１３を制御して上記ステップＳ５で設定されたチャンネルの放送番組を受信させて映像データ（動画像データおよび音声データ）を順次複号させ、録画／再生部１４でその映像データを所定の単位で順次記憶部９に送って上記ステップＳ６の自動選択処理で自動選択された記録メディアに記録（録画）させる（ステップＳ９）。この際、ＣＰＵ１１は、キー操作部７からの信号を調べ（ステップＳ１０）、録画中に電話信号の受信または通話ボタン２１の操作があった場合はよく知られた携帯電話機による通話処理を行い、通話ボタン２１の操作がない場合はステップＳ１２に進む。なお、通話中も録画は継続して実行される（ステップＳ１１）。また、録画が終わるとステップＳ１に戻る（ステップＳ１２）。
【００４７】
上記ステップＳ２で録画再生ボタン２４が押された場合は、ＣＰＵ１１は記録メディアに録画されている放送番組の圧縮映像データを録画先の記録メディアから読み出して録画／再生部１４で再生処理を施させて、再生した動画像データを表示部６に、再生した音声データをスピーカ５に送らせて、再生番組の放映を行わせる（ステップＳ１３）。この際、ＣＰＵ１１は、キー操作部７からの信号を調べ（ステップＳ１４）、録画再生中に電話信号の受信または通話ボタン２１の操作があった場合はよく知られた携帯電話機による通話処理を行い、通話ボタン２１の操作がない場合はステップＳ１６に進む。なお、通話中も録画再生は継続して実行される（ステップＳ１５）。また、録画再生が終わるとステップＳ１に戻る（ステップＳ１６）。
【００４８】
上記ステップＳ２でＴＶ受信ボタン２５が押された場合は、ＣＰＵ１１はテレビ受信部１３を制御してユーザによって指定されたチャンネルの放送番組を受信させて映像データ（動画像データおよび音声データ）を順次複号させ、動画像データを表示部６に、音声データをスピーカ５に送らせて、放送番組を放映させる（ステップＳ１７）。この際、ＣＰＵ１１は、キー操作部７からの信号を調べ（ステップＳ１８）、ＴＶ受信中に電話信号の受信または通話ボタン２１の操作があった場合はよく知られた携帯電話機による通話処理を行う。なお、通話中も放映は継続して実行される（ステップＳ１９）。また、放映が終わるかＴＶ受信が中止されるとステップＳ１に戻る（ステップＳ２０）。  
【００４９】
なお、上記図３のフローチャートのステップＳ２でＴＶ受信ボタン２５を押した後、更に録画ボタン２３を押すと図７のフローチャートに示す録画先記録メディアの自動選択動作と同様な動作で録画先記録メディアの自動選択処理を行うように構成し、録画先記録メディアの自動選択ができた場合に、ステップＳ１７で受信した放送番組を放映すると同時にその放送番組を選択された記録メディアに記録（録画）するように構成してもよい。
【００５０】
また、上記図３のフローチャートではステップＳ５の録画予約の直後に録画先記録メディアの自動選択動作（ステップＳ６）を行うようにしたので、録画先記録メディアの選択ができないような場合に、ユーザは他の放送番組の予約を行ったり、電池を交換したり、場合によってはメモリカード１０−２（記録メディアＢ）を交換したりすることができるが、図６に示すようにステップＳ５の録画予約の直後ではなく、録画予約を行った後、予約時刻が到来する直前に録画先記録メディアの自動選択動作を行なうようにしてもよい。このようにすると、テレビ機能付き電話機１は、予約時刻の到来まで長い時間があってその間に通話やＴＶ受信等があって電池を消費してしまったような場合に、図７のフローチャートに示すように録画先記録メディアの選択不能を告知することにより電池切れによる中途半端な録画を防止することができる。
【００５１】
図４は上記図３のフローチャートのステップＳ５の録画予約処理時に液晶表示画面に表示される予約情報入力欄の一実施例を示す図である。  
ＣＰＵ１１は、録画予約処理時に予約情報入力欄４０を表示してユーザに録画対象番組の予約情報（チャンネル、録画開始時刻、録画終了時刻、画質情報）の選択入力を促す。予約情報入力欄４０はチャンネル選択入力欄４１、録画開始時刻選択入力欄４２、録画終了時刻選択入力欄４３、および画質選択入力欄４４からなり、ユーザが図示しないカーソルキーを操作して各選択入力欄をポイントすると昇順若しくは降順に選択情報がスクロール表示されるのでユーザが所望の情報を選択するとその値が設定される。
【００５２】
例えば、チャンネル選択入力欄４１にはＴＶ放送局のチャンネル番号「１」、「２」、・・・、「１０」、「１２」、・・が順次表示される。図示の例はチャンネル「４」を選択した例である。録画開始時刻選択入力欄４２には時間および分が順次表示される。図示の例は「１４時００分」を録画開始時刻として選択した例である。録画終了時刻選択入力欄４２には時間および分が順次表示される。図示の例は「１４時５５分」を録画終了時刻として選択した例である。画質選択入力欄４４には録画の画質、例えば、圧縮率の低い高解像度に対応する画質名（一般に、高精細、ファイン、ノーマルなどと呼ばれる）や圧縮率の高い低解像度に対応する画質名（一般にエコノミーなどと呼ばれる）が順次表示される。図示の例は「ノーマル」を画質として選択した例である。  
【００５３】
図５は予約情報入力欄の他の実施例を示す図であり、図４の画質選択入力欄４４に代えてジャンル選択欄５４を設けた例である。予約情報入力欄５０はチャンネル選択入力欄５１、録画開始時刻選択入力欄５２、録画終了時刻選択入力欄５３、およびジャンル選択入力欄５４からなり、ユーザが図示しないカーソルキーを操作して各選択入力欄をポイントし、所望の情報を選択するとその値が設定される。チャンネル選択入力欄５１〜録画終了時刻選択入力欄５３は図４のチャンネル選択入力欄４１〜録画終了時刻選択入力欄４３と同様であり、ジャンル選択欄５４には放送番組のジャンル、例えば、「ドラマ」「邦画」、「外国映画」、「演劇」、「音楽」、「クイズ」、・・・「料理」、「漫画」、・・等の番組のジャンル名が順次表示される。
【００５４】
図示の例は、チャンネル選択入力欄５１でチャンネル「４」を選択し、録画開始時刻選択入力欄５２で「１３時３０分」を録画開始時刻として選択し録画終了時刻選択入力欄５２で「１３時２５分」を録画終了時刻として選択し、ジャンル選択入力欄５４で「料理」をジャンルとして選択した例である。
【００５５】
図６は上記図３のフローチャートの変形例であり、録画時間が到来する直前に録画先記録メディアの自動選択動作を行なうようにした例である。つまり、図３のフローチャートのステップＳ６の代わりにステップＳ６−１とステップＳ６−２を設け、ステップＳ６−１を「ＣＰＵ１１は、計時部１７からの時刻情報と上記ステップＳ６の自動選択処理で設定された予約時刻とを比較して予約時刻の直前、例えば、３０秒前になるとステップＳ６−２に進み、そうでない場合はステップＳ１に戻る」ように構成し、ステップＳ６−２を「ＣＰＵ１１は、図７のフローチャートに示すような動作で、録画対象番組の録画量に応じて録画先の記録メディア（録画対象記録メディア）の自動選択処理を実行する」ように構成したものである。
【００５６】
上記図６のフローチャートに示した動作より、録画予約を行った後、予約時刻が到来する直前に録画先記録メディアの自動選択動作を行なうことができる。このようにすると、テレビ機能付き電話機１は、予約時刻の到来まで長い時間があるような場合に、図７のフローチャートに示すように録画先記録メディアの選択不能を告知（警告）することができるので、通話やＴＶ受信等があって電池を消費してしまったような場合でも電池の交換を行うことができることから、録画予約時刻が到来して自動選択した記録メディアに録画を行った結果電池切れにより途中までしか録画が行えないといった不都合が生じない。
【００５７】
図７は、録画予約時のテレビ機能付き携帯電話機の動作を示すフローチャートであり、図３のフローチャートのステップＳ６（および図６のフローチャートのステップＳ６−２）の詳細な動作を示すフローチャートである。
【００５８】
図３のステップＳ５の録画予約処理若しくは図７のステップＳ６−１の予約時刻の直前判定の結果がイエスの場合、ＣＰＵ１１は、ステップＳ５の録画予約処理で設定した録画終了時刻から録画開始時刻を差し引いて必要な録画時間Ｔｎｅｅｄを算出する（ステップＴ１）。
【００５９】
次に、ＣＰＵ１１は電池残量検出部１８からの電池残量情報を取得し（ステップＴ２）、このテレビ機能付き携帯電話機１に装備されている各記録メディア毎に現在の電池残量での最大録画可能時間を算出する。最大録画可能時間Ｔｍａｘは記録メディアの単位時間当たりの電力消費量をＷとし、現在の電池残量をＱとするとＴｍａｘ＝Ｗ／Ｑとして算出できる。ここで、記録メディアＡの最大録画可能時間をＡＴｍａｘ、記録メディアＢの最大録画可能時間をＢＴｍａｘとする（ステップＴ３）。
【００６０】
ＣＰＵ１１は、記録メディアＡの最大録画可能時間ＡＴｍａｘと録画時間Ｔｎｅｅｄを比較し、ＡＴｍａｘ＞Ｔｎｅｅｄの場合はステップＴ７に進み、そうでない場合はステップＴ５に進む（ステップＴ４）。
【００６１】
ＣＰＵ１１は、更に、記録メディアＢの最大録画可能時間ＢＴｍａｘと録画時間Ｔｎｅｅｄを比較し、ＢＴｍａｘ＞Ｔｎｅｅｄの場合はステップＴ１０に進み（ステップＴ５）、そうでない場合は録画不可アラームを出力（例えば、メッセージ「電池容量不足のため録画できません」を表示）してユーザに電池残量の不足を告知することにより電池の交換を促し、図３のステップＳ５に戻る（ステップＴ６）。
【００６２】
ＣＰＵ１１は、ステップＳ５の録画予約処理で設定した画質情報（図４参照）を元に必要記録容量を算出する。必要記録容量Ｍｎｅｅｄは録画時間Ｔｎｅｅｄと設定された画質情報に対応する解像度Ｄから、Ｍｎｅｅｄ＝Ｔｎｅｅｄ／Ｄとして算出できる（ステップＴ７）。
【００６３】
ＣＰＵ１１は、記憶部９を介して各記録メディアの残容量Ｍｓを取得する。記録メディアの残容量Ｍｓは記録メディアに設けられている管理領域に記憶部９によって記録されているので、記憶部９を制御して各記録メディアの残容量Ｍｓを取得できる。ここで、記録メディアＡの残容量をＡＭｓ、記録メディアＢの残容量をＢＭｓとする（ステップＴ８）。
【００６４】
ＣＰＵ１１は、記録メディアＢの残容量ＢＭｓと必要記録容量Ｍｎｅｅｄを比較し、ＢＭｓ＞Ｍｎｅｅｄの場合はステップＴ１０に進み、そうでない場合はステップＴ１１に進む（ステップＴ９）。
【００６５】
上記ステップＴ５でＢＴｍａｘ＞ＴｎｅｅｄまたはステップＴ９でＢＭｓ＞Ｍｎｅｅｄの場合は記録メディアＢを録画先記録メディアとして選択し、図３のステップＳ７（録画開始時刻の判定処理）に進む（ステップＴ１０）。
【００６６】
ＣＰＵ１１は、記録メディアＡの残容量ＡＭｓと必要記録容量Ｍｎｅｅｄを比較し、ＡＭｓ＞Ｍｎｅｅｄの場合はステップＴ１２に進み、そうでない場合はステップＴ６に戻ってアラームを出力する（ステップＴ１１）。
【００６７】
上記ステップＴ１１でＢＭｓ≦Ｍｎｅｅｄの場合は記録メディアＡを録画先記録メディアとして選択し、図３のステップＳ７（録画始時刻の判定処理）に進む（ステップＴ１２）。
【００６８】
上記図７のフローチャートに示した動作により、テレビ機能付き携帯電話機１は指定した録画対象番組の録画開始前にその録画対象番組の録画時間と電池の残量を元に最適な録画対象記録メディアを自動的に選択できるので、記録メディアの選択ミスにより全てを録画し切れなかったりするようなことが生じない。更に、録画画質を任意に指定して指定された画質を元に録画対象記録メディアを自動的に選択することもできる。  
【００６９】
上記図７のフローチャートではステップＴ７〜Ｔ１０で画質を元に録画対象記録メディアを自動的に選択可能としたが、図３のステップＳ５で録画対象番組のジャンルを入力するようにした場合（図５参照）は、ジャンルを元に録画対象記録メディアを自動的に選択するようにすることもできる。  
【００７０】
図８は上記図７のフローチャートの変形例であり、指定されたジャンルを元に録画対象記録メディアを自動的に選択するように構成した例である。つまり、図７のフローチャートのステップＴ７を「ＣＰＵ１１は、ステップＳ５の録画予約処理で設定したジャンル情報（図５参照）を元に必要記録容量情報を取得する。必要記録容量情報は予めメモリ（例えば、プログラム格納メモリ１５）に登録されたジャンル別録画長短時間情報（図示せず）である。」とし、ステップＳ８を「上記ステップＴ７で取得した必要記録容量情報が短時間か長時間かを調べる」ように構成し、ステップＴ９をＣＰＵ１１は、「ＣＰＵ１１は、上記ステップＴ５でＢＴｍａｘ＞Ｔｎｅｅｄの場合または上記ステップＴ７で取得した必要記録容量情報が短時間の場合は記録メディアＢを録画先記録メディアとして選択し、図３のステップＳ７（録画開始時刻の判定処理）に進む」ように構成し、ステップＴ１０を「ＣＰＵ１１は、上記ステップＴ７で取得した必要記録容量情が長時間の場合は記録メディアＡを録画先記録メディアとして選択し、図３のステップＳ７に進む」ように構成し、ステップＴ１１以下を不要としたものである。また、図７のステップＴ５の比較結果がＢＴｍａｘ＞Ｔｎｅｅｄの場合はステップＴ９に進む」ように構成する。なお、図８の説明で、「短時間」とは実施例では２５分未満を意味し、「長時間」とは２５分以上を意味するがこれに限定されない。
【００７１】
以上、本発明の各実施例について説明したが、本発明は上記実施形態そのままに限定されるものではなく、実施段階ではその主旨を逸脱しない範囲で構成要素を変形して具体化できる。また、上記実施形態に開示されている複数の構成要素の適宜な組み合わせにより種々の発明を形成できる。例えば、実施形態に示されている全構成要素の中からいくつかの構成要素を削除してもよい。また、画像記録装置という用語は、テレビ機能付き携帯電話機のほか、デジタルカメラや携帯型の情報機器などにも適用し得るものである。
【００７２】
また、上記実施形態において記載した手法は、コンピュータに実行させることのできるプログラムとして、例えば、フラッシュメモリやハードディスク、あるいは着脱可能なメモリカード等の記録媒体に書き込んで各種装置に適用したり、そのプログラム自体をネットワーク等の伝送媒体により伝送して各装置に適用することも可能である。各種装置のコンピュータは記録媒体に記録されたプログラムあるいは伝送媒体を介して提供されたプログラムを読み込み、このプログラムによって動作が制御されることにより、各処理を実行して本手法を実現する。
【図面の簡単な説明】
【００７３】
【図１】本実施形態によるテレビ機能付き携帯電話機の構成を示すブロック図である。
【図２】本実施形に係わるテレビ機能付き携帯電話機の内部構成を示すブロック図である。
【図３】テレビ機能付き携帯電話機の動作概要を示すフローチャートである。
【図４】録画予約処理時に表示される予約情報入力欄の一実施例を示す図である。
【図５】録画予約処理時に表示される予約情報入力欄の他の実施例を示す図である。
【図６】図３に示したフローチャートの変形例である。
【図７】録画予約時のテレビ機能付き携帯電話機の動作を示すフローチャートである。
【図８】図７に示したフローチャートの変形例である。
【符号の説明】
【００７４】
１  テレビ機能付き携帯電話機（画像記録装置）
７  キー操作部（対象番組指定手段）
９  記憶部（録画手段）
１０−１  記録メディアＡ（記録媒体）
１０−２  記録メディアＢ（記録媒体）
１１  ＣＰＵ（録画量情報取得手段、記憶媒体選択手段、記憶残量取得手段）
１４  録画／再生部（録画部）
１８  電池残量検出部（電池残量検出手段）
４０、５０  予約情報入力欄（対象番組指定手段）
【図１】
2007060364.tif 000003
【図２】
2007060364.tif 000004
【図３】
2007060364.tif 000005
【図４】
2007060364.tif 000006
【図５】
2007060364.tif 000007
【図６】
2007060364.tif 000008
【図７】
2007060364.tif 000009
【図８】
2007060364.tif 000010